(57)【要約】【課題】設置における施工性の低下を抑制することが可能な、障子及び障子の設置方法を提供する。【解決手段】横框（上框２ｕ、下框２ｄ）と縦框４を組み合わせて形成された枠体６を備える障子１であり、横框が備え、長手方向から見た幅Ｗ１が鴨居溝部８Ｒの幅Ｗ２及び敷居溝部１０Ｒの幅Ｗ３よりも小さい横框小幅部２０が、横框大幅部３０よりも鴨居８及び敷居１０へ近い位置に配置され、縦框４が備え、長手方向から見た幅Ｗ７が幅Ｗ２及び幅Ｗ３よりも小さい縦框小幅部４０が、長手方向から見て横框小幅部２０の一部と重なり、且つ長手方向から見て横框小幅部２０よりも突出し、縦框４が備え、長手方向から見た幅Ｗ８が幅Ｗ７よりも大きい縦框大幅部５０の少なくとも一部は、長手方向から見て横框大幅部３０と重なる。【選択図】図１
2018100555.tif 000002
【特許請求の範囲】
【請求項１】
角柱状の横框と、前記横框の長手方向の端部が取り付けられる角柱状の縦框と、を組み合わせて形成された枠体を備え、前記枠体の上端が鴨居に支持されるとともに枠体の下端が敷居に支持される障子であって、
前記横框は、前記長手方向から見た幅が前記鴨居の有する溝である鴨居溝部の幅及び前記敷居の有する溝である敷居溝部の幅よりも小さい横框小幅部と、前記長手方向から見た幅が前記横框小幅部の幅よりも大きい横框大幅部と、を備え、
前記縦框は、前記長手方向から見た幅が前記鴨居溝部の幅及び前記敷居溝部の幅よりも小さい縦框小幅部と、前記長手方向から見た幅が前記縦框小幅部の幅よりも大きい縦框大幅部と、を備え、
前記横框小幅部は、前記横框大幅部よりも前記鴨居及び前記敷居へ近い位置に配置され、
前記縦框小幅部は、前記長手方向から見て前記横框小幅部の一部と重なり、且つ前記長手方向から見て前記横框小幅部よりも突出し、
前記縦框大幅部の少なくとも一部は、前記長手方向から見て前記横框大幅部と重なることを特徴とする障子。
【請求項２】
前記縦框の外面が塗装されていることを特徴とする請求項１に記載した障子。
【請求項３】
前記横框は、前記横框小幅部が前記枠体の上端を形成する上框と、前記横框小幅部が前記枠体の下端を形成し、且つ前記上框と前記長手方向が平行である下框と、を含むことを特徴とする請求項１または請求項２に記載した障子。
【請求項４】
前記上框が備える前記横框小幅部と前記横框大幅部とを連続し、且つ前記鴨居と対向する平面である上框側平面と前記鴨居溝部との距離は、前記縦框小幅部と前記縦框大幅部とを連続し、且つ前記鴨居と対向する平面である鴨居側平面と前記鴨居溝部との距離よりも、前記長手方向から見て短いことを特徴とする請求項３に記載した障子。
【請求項５】
前記下框が備える前記横框小幅部と前記横框大幅部とを連続し、且つ前記敷居と対向する平面である下框側平面と前記敷居溝部との距離は、前記縦框小幅部と前記縦框大幅部とを連続し、且つ前記敷居と対向する平面である敷居側平面と前記敷居溝部との距離よりも、前記長手方向から見て短いことを特徴とする請求項３または請求項４に記載した障子。
【請求項６】
鴨居と敷居との間に請求項１から請求項５のうちいずれか１項に記載した障子を設置する障子の設置方法であって、
前記鴨居溝部の底面と前記敷居溝部の底面との距離に応じて、前記縦框小幅部のうち、前記長手方向から見て前記横框小幅部よりも突出した部分を前記長手方向に沿って切断した後、前記縦框小幅部及び前記横框小幅部を前記鴨居溝部及び前記敷居溝部の内部へ配置することで、前記枠体の上端を前記鴨居で支持するとともに枠体の下端を前記敷居で支持して鴨居と敷居との間に前記障子を設置することを特徴とする障子の設置方法。
【発明の詳細な説明】
【技術分野】
【０００１】
本発明は、引戸等に用いる障子及び障子の設置方法に関するものである。
【背景技術】
【０００２】
従来、建築物（住宅、非住宅）で、引戸等として一般的に用いられる障子としては、例えば、特許文献１に記載の技術がある。
特許文献１に記載の技術では、上框と、下框と、二つの縦框（左側縦框、右側縦框）を組み合わせて形成された枠体にガラス板等を取り付けて障子を形成する。そして、障子の上端及び下端を、鴨居及び敷居が有する溝へ挿入することで、障子を設置している。
【先行技術文献】
【特許文献】
【０００３】
【特許文献１】特許第５４７３９９９号公報
【発明の概要】
【発明が解決しようとする課題】
【０００４】
特許文献１に記載の技術を含め、従来の技術では、障子を設置する際に、縦框が上框及び下框に対して上下方向へ突出した形状の枠体を設置現場へ搬入し、鴨居と敷居との間隔に合わせて、縦框の突出部分を加工する場合が多い。
このため、縦框の突出部分を、鴨居及び敷居が有する溝へ挿入可能な形状とするために、切断に加え、切削や研磨等の加工が必要となり、施工性が低下するという問題がある。
本発明は、上記事情に鑑みてなされたものであり、設置における施工性の低下を抑制することが可能な、障子及び障子の設置方法を提供することを目的とする。
【課題を解決するための手段】
【０００５】
上記課題を解決するために、本発明の一態様は、角柱状の横框と、前記横框の長手方向の端部が取り付けられる角柱状の縦框と、を組み合わせて形成された枠体を備え、前記枠体の上端が鴨居に支持されるとともに枠体の下端が敷居に支持される障子である。前記横框は、前記長手方向から見た幅が前記鴨居の有する溝である鴨居溝部の幅及び前記敷居の有する溝である敷居溝部の幅よりも小さい横框小幅部と、前記長手方向から見た幅が前記横框小幅部の幅よりも大きい横框大幅部とを備える。前記縦框は、前記長手方向から見た幅が前記鴨居溝部の幅及び前記敷居溝部の幅よりも小さい縦框小幅部と、前記長手方向から見た幅が前記縦框小幅部の幅よりも大きい縦框大幅部とを備える。また、横框小幅部は、前記横框大幅部よりも前記鴨居及び前記敷居へ近い位置に配置されている。そして、前記縦框小幅部は、前記長手方向から見て前記横框小幅部の一部と重なり、且つ前記長手方向から見て前記横框小幅部よりも突出している。さらに、前記縦框大幅部の少なくとも一部は、前記長手方向から見て前記横框大幅部と重なる。
【０００６】
また、上記課題を解決するために、本発明の一態様は、鴨居と敷居との間に障子を設置する障子の設置方法である。障子の設置方法では、まず、前記鴨居溝部の底面と前記敷居溝部の底面との距離に応じて、前記縦框小幅部のうち、前記長手方向から見て前記横框小幅部よりも突出した部分を前記長手方向に沿って切断する。その後、前記縦框小幅部及び前記横框小幅部を前記鴨居溝部及び前記敷居溝部の内部へ配置することで、前記枠体の上端を前記鴨居で支持するとともに枠体の下端を前記敷居で支持して鴨居と敷居との間に前記障子を設置する。
【発明の効果】
【０００７】
本発明の一態様によれば、鴨居と敷居との間に障子を設置する際に、縦框小幅部のうち、横框の長手方向から見て横框小幅部よりも突出した部分の、横框の長手方向に沿った切断加工のみで、枠体の加工を行うことが可能となる。
これにより、設置における施工性の低下を抑制することが可能な、障子及び障子の設置方法を提供することが可能となる。
【図面の簡単な説明】
【０００８】
【図１】本発明の第一実施形態の障子を設置した状態を表す側面図である。
【図２】本発明の第一実施形態の障子の構成を表す斜視図である。
【図３】図１のＩＩＩ線矢視図である。
【図４】図１のＩＶ線矢視図である。
【図５】本発明の第一実施形態の障子の設置方法を表す斜視図である。
【図６】縦框のうち、切除した部分を表す斜視図である。
【図７】縦框のうち、切除した部分を表す斜視図である。
【図８】本発明の第一実施形態の変形例を表す図である。
【図９】本発明の第一実施形態の変形例を表す図である。
【図１０】本発明の第一実施形態の変形例を表す図である。
【発明を実施するための形態】
【０００９】
以下の詳細な説明では、本発明の実施形態について、完全な理解を提供するように、特定の細部について記載する。しかしながら、かかる特定の細部が無くとも、一つ以上の実施形態が実施可能であることは明確である。また、図面を簡潔なものとするために、周知の構造及び装置を、略図で表す場合がある。
【００１０】
（第一実施形態）
以下、本発明の第一実施形態について、図面を参照しつつ説明する。
（障子）
図１から図４を用いて、障子の構成について説明する。
障子１は、図１中に表すように、上框２ｕと、下框２ｄと、縦框４を組み合わせて形成された枠体６に、ガラス板や障子紙等（図示せず）を取り付けて形成されている。なお、上框２ｕ及び下框２ｄは、横框を形成する。
また、障子１は、枠体６の上端が鴨居８に支持されるとともに、枠体６の下端が敷居１０に支持されて、鴨居８と敷居１０との間へ、上框２ｕ及び下框２ｄの長手方向へ移動可能に設置されている。なお、図１は、障子１、鴨居８、敷居１０を、上框２ｕ及び下框２ｄの長手方向から見た図であり、断面を表すハッチングは省略している。
【００１１】
鴨居８は、家屋等の建築物に設置されており、鴨居溝部８Ｒを有している。
鴨居溝部８Ｒは、下方へ開口し、上框２ｕ及び下框２ｄの長手方向へ延在する凹状の溝である。
敷居１０は、家屋等の建築物において、鴨居８の下方に設置されており、敷居溝部１０Ｒを有している。
敷居溝部１０Ｒは、上方へ開口し、上框２ｕ及び下框２ｄの長手方向へ延在する凹状の溝である。
【００１２】
（上框）
上框２ｕは、角柱状に形成されている。
また、上框２ｕは、横框小幅部２０と、横框大幅部３０を備える。なお、図中及び以降の説明では、説明のために、上框２ｕが備える横框小幅部２０を上框小幅部２０ｕと表し、上框２ｕが備える横框大幅部３０を上框大幅部３０ｕと表す場合がある。
上框小幅部２０ｕは、上框２ｕに一箇所形成されており、上框２ｕ及び下框２ｄの長手方向から見た幅Ｗ１が、鴨居溝部８Ｒの幅Ｗ２及び敷居溝部１０Ｒの幅Ｗ３よりも小さい。
【００１３】
第一実施形態では、一例として、上框小幅部２０ｕを、上框２ｕを長手方向から見てＬ字型に切り欠いた一箇所の切り欠きで形成した場合について説明する。
また、上框小幅部２０ｕは、上框大幅部３０ｕよりも鴨居８へ近い位置に配置されている。
上框大幅部３０ｕは、上框２ｕのうち、下框小幅部２０ｄ以外の部分を形成しており、上框２ｕ及び下框２ｄの長手方向から見た幅Ｗ４が、上框小幅部２０ｕの幅Ｗ１よりも大きい。
また、上框小幅部２０ｕは、枠体６の上端を形成している。
【００１４】
（下框）
下框２ｄは、角柱状に形成されており、上框２ｕと長手方向が平行である。
また、下框２ｄは、横框小幅部２０と、横框大幅部３０を備える。なお、図中及び以降の説明では、説明のために、下框２ｄが備える横框小幅部２０を下框小幅部２０ｄと表し、下框２ｄが備える横框大幅部３０を下框大幅部３０ｄと表す場合がある。
下框小幅部２０ｄは、下框２ｄに一箇所形成されており、上框２ｕ及び下框２ｄの長手方向から見た幅Ｗ５が、鴨居溝部８Ｒの幅Ｗ２及び敷居溝部１０Ｒの幅Ｗ３よりも小さい。
【００１５】
第一実施形態では、一例として、下框小幅部２０ｄを、下框２ｄを長手方向から見てＬ字型に切り欠いた一箇所の切り欠きで形成した場合について説明する。
また、下框小幅部２０ｄは、下框大幅部３０ｄよりも敷居１０へ近い位置に配置されている。
下框大幅部３０ｄは、下框２ｄのうち、下框小幅部２０ｄ以外の部分を形成しており、上框２ｕ及び下框２ｄの長手方向から見た幅Ｗ６が、下框小幅部２０ｄの幅Ｗ５よりも大きい。
また、下框小幅部２０ｄは、枠体６の下端を形成している。
【００１６】
（縦框）
縦框４は、角柱状に形成されており、上框２ｕ及び下框２ｄの長手方向の端部が取り付けられる。
また、縦框４は、軸を上下方向へ向けて、鴨居８と敷居１０との間に設置されている。
縦框４の外面には、例えば、艶消し塗料やニス等が塗装されている。
また、縦框４は、縦框小幅部４０と、縦框大幅部５０を備える。
縦框小幅部４０は、縦框４に二箇所形成されており、上框２ｕ及び下框２ｄの長手方向から見た幅Ｗ７が、鴨居溝部８Ｒの幅Ｗ２及び敷居溝部１０Ｒの幅Ｗ３よりも小さい。
【００１７】
第一実施形態では、一例として、二箇所の縦框小幅部４０を、縦框４の同じ面に配置した二箇所の凹部で形成した場合について説明する。なお、図中及び以降の説明では、説明のために、二箇所の縦框小幅部４０のうち上側に形成した縦框小幅部４０を上側縦框小幅部４０ｕと表し、二箇所の縦框小幅部４０のうち下側に形成した縦框小幅部４０を下側縦框小幅部４０ｄと表す場合がある。
また、縦框小幅部４０は、上框２ｕ及び下框２ｄの長手方向から見て、横框小幅部２０の一部と重なる。これに加え、縦框小幅部４０は、上框２ｕ及び下框２ｄの長手方向から見て、横框小幅部２０よりも、鴨居８側及び敷居１０側へ向けて突出している。
【００１８】
具体的には、上側縦框小幅部４０ｕの一部は、上框２ｕ及び下框２ｄの長手方向から見て、上框小幅部２０ｕと重なる。これに加え、上側縦框小幅部４０ｕは、上框２ｕ及び下框２ｄの長手方向から見て、上框小幅部２０ｕよりも、鴨居８側へ向けて上方へ突出している。
同様に、下側縦框小幅部４０ｄの一部は、上框２ｕ及び下框２ｄの長手方向から見て、下框小幅部２０ｄと重なる。これに加え、下側縦框小幅部４０ｄは、上框２ｕ及び下框２ｄの長手方向から見て、下框小幅部２０ｄよりも、敷居１０側へ向けて下方へ突出している。
縦框大幅部５０は、上框２ｕ及び下框２ｄの長手方向から見た幅Ｗ８が、縦框小幅部４０の幅Ｗ７よりも大きい。
【００１９】
第一実施形態では、一例として、図２から図４中に表すように、縦框大幅部５０が、上側縦框小幅部４０ｕと下側縦框小幅部４０ｄを上下方向から挟む位置、すなわち、縦框４のうち三箇所に形成されている場合について説明する。
なお、図２から図４中には、鴨居８と敷居１０との間へ設置するための加工を行う前の枠体６を表す。また、図中及び以降の説明では、説明のために、三箇所の縦框大幅部５０のうち上側に形成した縦框大幅部５０を上側縦框大幅部５０ｕと表し、三箇所の縦框大幅部５０のうち下側に形成した縦框大幅部５０を下側縦框大幅部５０ｄと表す場合がある。さらに、図中及び以降の説明では、説明のために、三箇所の縦框大幅部５０のうち、上側縦框大幅部５０ｕと下側縦框大幅部５０ｄとの間に形成した縦框大幅部５０を、中間縦框大幅部５０ｍと表す場合がある。
【００２０】
中間縦框大幅部５０ｍの一部は、上框２ｕ及び下框２ｄの長手方向から見て、上框大幅部３０ｕと重なる。
また、上框側平面６０と鴨居溝部８Ｒとの距離Ｒ１は、鴨居側平面７０と鴨居溝部８Ｒとの距離Ｒ２と同じである（Ｒ１＝Ｒ２）。なお、図１中では、説明のために、上框側平面６０と鴨居溝部８Ｒとの距離Ｒ１を、上框側平面６０と鴨居溝部８Ｒの底面との距離で表す。同様に、図１中では、説明のために、鴨居側平面７０と鴨居溝部８Ｒとの距離Ｒ２を、鴨居側平面７０と鴨居溝部８Ｒの底面との距離で表す。
【００２１】
上框側平面６０は、上框２ｕが備える上框小幅部２０ｕと上框大幅部３０ｕとを連続し、且つ鴨居８と対向する平面である。
鴨居側平面７０は、上側縦框小幅部４０ｕと上側縦框大幅部５０ｕとを連続し、且つ鴨居８と対向する平面である。
また、中間縦框大幅部５０ｍの一部は、上框２ｕ及び下框２ｄの長手方向から見て、下框大幅部３０ｄと重なる。
【００２２】
また、下框側平面８０と敷居溝部１０Ｒとの距離Ｒ３は、敷居側平面９０と敷居溝部１０Ｒとの距離Ｒ４と同じである（Ｒ３＝Ｒ４）。なお、図１中では、説明のために、下框側平面８０と敷居溝部１０Ｒとの距離Ｒ３を、下框側平面８０と敷居溝部１０Ｒの底面との距離で表す。同様に、図１中では、説明のために、敷居側平面９０と敷居溝部１０Ｒとの距離Ｒ４を、敷居側平面９０と敷居溝部１０Ｒの底面との距離で表す。
下框側平面８０は、下框２ｄが備える下框小幅部２０ｄと下框大幅部３０ｄとを連続し、且つ敷居１０と対向する平面である
敷居側平面９０は、下側縦框小幅部４０ｄと下側縦框大幅部５０ｄとを連続し、且つ敷居１０と対向する平面である。
【００２３】
（障子の設置方法）
図１から図４を参照しつつ、図５から図７を用いて、鴨居８と敷居１０との間に障子１を設置する、障子１の設置方法を説明する。
障子１を設置する際には、図５から図７中に表すように、上側縦框小幅部４０ｕのうち、上框２ｕ及び下框２ｄの長手方向から見て上框小幅部２０ｕよりも突出した部分を、上框２ｕ及び下框２ｄの長手方向に沿って切断する。同様に、下側縦框小幅部４０ｄのうち、上框２ｕ及び下框２ｄの長手方向から見て下框小幅部２０ｄよりも突出した部分を、上框２ｕ及び下框２ｄの長手方向に沿って切断する。
【００２４】
上側縦框小幅部４０ｕ及び下側縦框小幅部４０ｄの切断は、鴨居溝部８Ｒの底面と敷居溝部１０Ｒの底面との、上下方向の距離に応じて行う。
上側縦框小幅部４０ｕ及び下側縦框小幅部４０ｄを、上框２ｕ及び下框２ｄの長手方向に沿って切断すると、図５中に表すように、上側縦框小幅部４０ｕの切断面１００ｕは、鴨居８と対向する平面となる。さらに、下側縦框小幅部４０ｄの切断面１００ｄは、敷居１０と対向する平面となる。なお、図６及び図７中には、縦框４のうち、鴨居溝部８Ｒの底面と敷居溝部１０Ｒの底面との上下方向の距離に応じて、切除された部分を表す。
【００２５】
その後、縦框小幅部４０及び横框小幅部２０を、鴨居溝部８Ｒ及び敷居溝部１０Ｒの内部へ配置することで、枠体６の上端を鴨居８で支持するとともに、枠体６の下端を敷居１０で支持して、鴨居８と敷居１０との間に障子１を設置する（図１参照）。
なお、上述した第一実施形態は、本発明の一例であり、本発明は、上述した第一実施形態に限定されることはなく、この実施形態以外の形態であっても、本発明に係る技術的思想を逸脱しない範囲であれば、設計等に応じて種々の変更が可能である。
【００２６】
（第一実施形態の効果）
第一実施形態の障子１であれば、以下に記載する効果を奏することが可能となる。
（１）横框小幅部２０が、横框大幅部３０よりも鴨居８及び敷居１０へ近い位置に配置される。また、縦框小幅部４０が、横框の長手方向から見て横框小幅部２０の一部と重なり、且つ横框の長手方向から見て横框小幅部２０よりも突出する。これに加え、縦框大幅部５０の少なくとも一部が、横框の長手方向から見て横框大幅部３０と重なる。
このため、鴨居８と敷居１０との間に障子１を設置する際に、縦框小幅部４０のうち、横框の長手方向から見て横框小幅部２０よりも突出した部分の、横框の長手方向に沿った切断加工のみで、枠体６を加工することが可能となる。
【００２７】
その結果、鴨居８と敷居１０との間に障子１を設置する際に、縦框４に対する直線的な切断加工のみで、枠体６の加工を行うことが可能となるため、設置における施工性の低下を抑制することが可能な、障子１を提供することが可能となる。
また、建築現場において、縦框４に対し、上框２ｕ及び下框２ｄに沿った加工を行う必要が無いため、切断加工のみで、枠体６を建築現場の枠に納めることが可能となり、現場加工を容易にすることが可能となる。
【００２８】
（２）縦框４の外面に、艶消し塗料やニス等が塗装されている。
このため、鴨居８と敷居１０との間に障子１を設置する際に、縦框小幅部４０のうち横框小幅部２０よりも突出した部分の切断加工を行った状態で、塗装が行われていない面を、切断面１００のみとすることが可能となる。
その結果、縦框小幅部４０に切断加工を行った状態であっても、縦框４のうち塗装が行われていない面を、鴨居８及び敷居１０と対向して露出しない面のみとすることが可能となるため、枠体６の意匠性の低下を抑制することが可能となる。
【００２９】
（３）縦框４に長手方向の端部が取り付けられる横框が、横框小幅部２０が枠体６の上端を形成する上框２ｕと、横框小幅部２０が枠体６の下端を形成し、且つ上框２ｕと長手方向が平行である下框２ｄと、を含む。
その結果、四辺形の枠体６を形成することが可能となる。
【００３０】
（４）上框側平面６０と鴨居溝部８Ｒとの距離Ｒ１が、鴨居側平面７０と鴨居溝部８Ｒとの距離Ｒ２と同じ距離である。すなわち、上框側平面６０と鴨居側平面７０が同じ高さの面である。
その結果、建築現場において、縦框４に対し、上框２ｕに沿った加工を行う必要が無いため、現場加工における調整を容易にすることが可能となり、設置における施工性の低下を抑制することが可能となる。
【００３１】
（５）下框側平面８０と敷居溝部１０Ｒとの距離Ｒ３が、敷居側平面９０と敷居溝部１０Ｒとの距離Ｒ４と同じ距離である。すなわち、下框側平面８０と敷居側平面９０が同じ高さの面である。
その結果、建築現場において、縦框４に対し、下框２ｄに沿った加工を行う必要が無いため、現場加工における調整を容易にすることが可能となり、設置における施工性の低下を抑制することが可能となる。
また、第一実施形態の障子１の設置方法であれば、以下に記載する効果を奏することが可能となる。
【００３２】
（６）鴨居溝部８Ｒの底面と敷居溝部１０Ｒの底面との上下方向の距離に応じて、上側縦框小幅部４０ｕのうち、横框の長手方向から見て上框小幅部２０ｕよりも突出した部分を、横框の長手方向に沿って切断する。さらに、下側縦框小幅部４０ｄのうち、横框の長手方向から見て下框小幅部２０ｄよりも突出した部分を、横框の長手方向に沿って切断する。
その後、縦框小幅部４０及び横框小幅部２０を、鴨居溝部８Ｒ及び敷居溝部１０Ｒの内部へ配置することで、枠体６の上端を鴨居８で支持するとともに、枠体６の下端を敷居１０で支持して、鴨居８と敷居１０との間に障子１を設置する。
【００３３】
このため、鴨居８と敷居１０との間に障子１を設置する際に、縦框小幅部４０のうち、横框の長手方向から見て横框小幅部２０よりも突出した部分の、横框の長手方向に沿った切断加工のみで、枠体６を加工することが可能となる。
その結果、鴨居８と敷居１０との間に障子１を設置する際に、縦框４に対する直線的な切断加工のみで、枠体６の加工を行うことが可能となるため、設置における施工性の低下を抑制することが可能な、障子１の設置方法を提供することが可能となる。
また、建築現場において、縦框４に対し、上框２ｕ及び下框２ｄに沿った加工を行う必要が無いため、切断加工のみで、枠体６を建築現場の枠に納めることが可能となり、現場加工を容易にすることが可能となる。
【００３４】
（変形例）
（１）第一実施形態では、上框小幅部２０ｕを、上框２ｕを長手方向から見てＬ字型に切り欠いた一箇所の切り欠きで形成し、下框小幅部２０ｄを、下框２ｄを長手方向から見てＬ字型に切り欠いた一箇所の切り欠きで形成したが、これに限定するものではない。また、縦框小幅部４０を、縦框４の同じ面に配置した凹部で形成したが、これに限定するものではない。
すなわち、例えば、図８中に表すように、上框小幅部２０ｕを、上框２ｕを長手方向から見てＬ字型に切り欠いた二箇所の切り欠きで形成してもよい。同様に、下框小幅部２０ｄを、下框２ｄを長手方向から見てＬ字型に切り欠いた二箇所の切り欠きで形成してもよい。また、縦框小幅部４０を、縦框４の異なる面に配置した凹部で形成してもよい。
【００３５】
（２）第一実施形態では、上框側平面６０と鴨居溝部８Ｒとの距離Ｒ１と鴨居側平面７０と鴨居溝部８Ｒとの距離Ｒ２が同じである構成としたが、これに限定するものではない。すなわち、例えば、図９及び図１０中に表すように、上框側平面６０と鴨居溝部８Ｒとの距離Ｒ１が、鴨居側平面７０と鴨居溝部８Ｒとの距離Ｒ２よりも、上框２ｕ及び下框２ｄの長手方向から見て短い構成としてもよい（Ｒ１＜Ｒ２）。同様に、図９及び図１０中に表すように、下框側平面８０と敷居溝部１０Ｒとの距離Ｒ３が、敷居側平面９０と敷居溝部１０Ｒとの距離Ｒ４よりも、上框２ｕ及び下框２ｄの長手方向から見て短い構成としてもよい（Ｒ３＜Ｒ４）。
【００３６】
（３）第一実施形態では、縦框４の外面に、艶消し塗料やニス等が塗装されている構成としたが、これに限定するものではなく、縦框４の外面が無塗装である構成としてもよい。
【符号の説明】
【００３７】
１…障子、２ｕ…上框、２ｄ…下框、４…縦框、６…枠体、８…鴨居、８Ｒ…鴨居溝部、１０…敷居、１０Ｒ…敷居溝部、２０…横框小幅部、２０ｕ…上框小幅部、２０ｄ…下框小幅部、３０…横框大幅部、３０ｕ…上框大幅部、３０ｄ…下框大幅部、４０…縦框小幅部、４０ｕ…上側縦框小幅部、４０ｄ…下側縦框小幅部、５０…縦框大幅部、５０ｕ…上側縦框大幅部、５０ｄ…下側縦框大幅部、５０ｍ…中間縦框大幅部、６０…上框側平面、７０…鴨居側平面、８０…下框側平面、９０…敷居側平面、１００…切断面、１００ｕ…切断面、１００ｄ…切断面、Ｗ１…上框小幅部２０ｕの幅、Ｗ２…鴨居溝部８Ｒの幅、Ｗ３…敷居溝部１０Ｒの幅、Ｗ４…上框大幅部３０ｕの幅、Ｗ５…下框小幅部２０ｄの幅、Ｗ６…下框大幅部３０ｄの幅、Ｗ７…縦框小幅部４０の幅、Ｗ８…縦框大幅部５０の幅、Ｒ１…上框側平面６０と鴨居溝部８Ｒとの距離、Ｒ２…鴨居側平面７０と鴨居溝部８Ｒとの距離、Ｒ３…下框側平面８０と敷居溝部１０Ｒとの距離、Ｒ４…敷居側平面９０と敷居溝部１０Ｒとの距離
【図１】
2018100555.tif 000003
【図２】
2018100555.tif 000004
【図３】
2018100555.tif 000005
【図４】
2018100555.tif 000006
【図５】
2018100555.tif 000007
【図６】
2018100555.tif 000008
【図７】
2018100555.tif 000009
【図８】
2018100555.tif 000010
【図９】
2018100555.tif 000011
【図１０】
2018100555.tif 000012